(57)【要約】      （修正有）【課題】ストッキングに付属品のアクセサリーを付けて、付属品を立体的に見せて、必要のない時は取りはずしが出来る。【解決手段】ストッキング１にポリウレタン製の伸縮性のあるゴム２を付けて、そのゴムのところに付属品のアクセサリー３を通して付属品がアクセサリーチャームのように立体的に見せることが出来て、ワンポイントのデザインにもなる。そして、付属品の構造によっては、付属品が取りはずしが出来るので、ストッキング１に何もデザインが、されていないストッキングのように使用が出来るストッキング１。【選択図】図１
2013256745.tif 000002
【特許請求の範囲】
【請求項１】
ストッキングに付属品のアクセサリーを取りつけられるストッキング。ストッキングに付属品のアクセサリーを付けるために無色で透明なポリウレタン製の伸縮性のあるゴムをストッキングに付ける。ポリウレタン製のゴムは、ストッキングのデザインや色や素材によっても付ける場所やゴムの幅や長さや色は無色の透明だけではなく多少の変化もあるが、ストッキングの横で足の踝の上から、５ｃｍ〜２０ｃｍぐらいの所に付ける。そして、ひざ下のストッキングやパンティストッキングなどの形状のちがったストッキングにもポリウレタンのゴムを付けて使用する事が出来る。以上ストッキングに付属品のアクセサリーを付けられるストッキング。
【請求項２】
このようにストッキングにポリウレタン製の伸縮性のあるゴムを付けたストッキングに付属品の装飾をしたアクセサリーをポリウレタンのコムの所へ通し、そして付属品のアクセサリーを立体的に見せて、この付属品のアクセサリーがアクセサリーチャームのように揺れ動く事が出来て立体的に見せる事が出来る。そして、この付属品は、使用していて必要がない時は、付属品のアクセサリーを取りはずしが出来て、ストッキングに何もデザインが、されていないストッキングのように使用が出来る。そして、元々、ストッキングに絵柄などのデザインがされている場合は、付属品が、ワンポイントのような役割をする。また、ストッキングのデザインや講成によっては、付属品が取りはずしが出来なく付属品のアクセサリーが立体的に見えるだけのストッキングもある。以上ストッキングに付属品が取りはずしが出来て立体的に見せられるストッキング。
【請求項３】
ストッキングにポリウレタン製のゴムが付いている所に通す付属品のアクセサリー小物は、アクセサリーチャームのような役目をする。プラスチックなどの軽量化が出来る素材で形を作くり、そこに装飾をする。装飾と付属品の形は、デザインなどで異なるが、色々なパターンがあると思うが、例えばラインストーンのような物で装飾をしたり、また布の生地やレース生地や毛糸などで、デザインをして形を作くり取りつける事も可能である。ストッキングにポリウレタンのゴムと同じポリウレタンのゴムで輪を作くりストッキングに付いているポリウレタンのゴムへ通すための輪にする。この輪を作くり装飾してある付属品の後に、この輪をつけて、付属品の後は、スナップボタンなどの取りはずしが出来る物をつけて、この付属品を取りはずしが可能な物にする。ストッキングに装飾してある付属品を取りつけて使用する。付属品アクセサリー付きストッキングの製造方法と使用方法。
【発明の詳細な説明】
【技術分野】
【０００１】この発明は、特にストッキングに付属のアクセサリーを取りつけて必要のないときは、取りはずしが出来る、ストッキングである。
【背景の技術】
【０００２】以前からあるストッキングは、デザインが、されている物は、そのまま使用しなければ、ならなかったが、本発明では、必要のない時は、取りはずしが出来て、使用する事が出来る。
【先行技術文献】
【特許文献】
【発明の概要】
【発明が解決しようとする課題】ストッキングにポリウレタン製の伸縮性のあるゴムをストッキングに付け、そこに付属品のアクセサリーをストッキングのゴムの所へ通し使用する。そして必要がない時は、取りはずし出来る。【０００３】本発明者は、このようなストッキングの使用方法とデザイン講成に着目しストッキングの使用方法とデザインを広げることを目的とする。
【発明を解決するための手段】
【０００４】このような目的を達成する本発明の付属品の取りはずし可能なストッキングは、ストッキングにポリウレタン製の伸縮性のあるゴムを付けて、そこに付属品の装飾デザインをされたアクセサリーを通してこの付属品のアクセサリーを立体的に見せられて、付属品のアクセサリーが取りはずし出来るストッキングである。
【０００５】ストッキングに付属品のアクセサリーを通すためにストッキングにポリウレタン製の伸縮性のあるゴムを付ける形状のちがったストッキングのひざ下のストッキングやパンティストッキングにこのゴムの無色で透明なゴムを付ける。このゴムを固定する場所は、ストッキングのデザインなどの場合により多少の変化はある場合もあると思うが、基本的には片側の足の踝の上の５ｃｍ〜２０ｃｍぐらいの所へ固定して付ける。何もデザインや絵柄がないストッキングやデザインや絵柄のあるストッキングにも使用が出来る。
このポリウレタン製のゴムは、ストッキングの素材や付属品の重さなどで、多少の変更もある場合もあるが、ゴムを横向に付けるストッキングの表面から２ｃｍ〜８ｃｍぐらいゴムの部分をだすようにする。この表面に出ているゴムの部分へ付属品をつけられるようにする。そして付属品のアクセサリーがつけれるストッキングにする。
【０００６】また、ストッキングに付いているポリウレタン製のゴムの所へ付属品のアクセサリーを通して使用する。この付属品のアクセサリーが立体的に見えて揺れ動くことが出来る、取りはずしが出来る。そしてデザインによっては、付属品が、そのまま固定されていて取りはずしが出来ないものでも立体的に見せれて動くことが、出来る。基本的には、取りはずしが出来るストッキング。
【０００７】付属品のアクセサリーは、安全性のためと軽量化のためにプラスチック製品などの軽量化ができるもので付属品の形を作くる。そしてデザインをして形を作くりそこに装飾をする。ラインストーンや布などでデザインをしたものを作くり、いろいろなもので作くたものを付属品のアクセサリーとして使用をする事が出来る
【発明の効果】
【０００８】このような付属品の取りはずし可能なストッキングは、必要のない時は、取りはずして、何もデザインが、されていないストッキングのように使用が出来て、使用する人の都合にあわせて付属品を取りはずしが出来て、デザインを広げることが出来る。
【０００９】付属品のアクセサリーを使用することにより以前から、販売されている、初めからデザインや装飾をされているストッキングでは、私生活と仕事と区別をしなければならなかったが、このように付属品が取りはずしが出来れば必要なときに取りはずしが出来るので便利になる。
【００１０】付属品のアクセサリーをストッキングに付けれることにより以前から販売されているストッキングのようにデザインの絵柄などが使用する人の足の形や太さで伸びることがなく、付属品のアクセサリーが立体的に見せることが出来て、付属品が揺れ動くことも出来るので、足元がきれいに見せることが出来る。
【発明を実施するための形態】
【００１１】本発明の付属品の取りはずし可能なストッキングの製造方法と使用方法の実施と形態について説明する。
【００１２】付属品の取りはずし可能なストッキングの製造方法を説明する。パンティストッキングなどのストッキング素材の物に無色で透明な伸縮性のあるゴムをストッキングの足の踝の上５ｃｍ〜２０ｃｍの所にポリウレタンのゴムを通して付ける。そしてストッキングの表面にゴムの部分が２ｃｍ〜８ｃｍぐらい表面に出るようにする。この表面のゴムに付属品が通せるようにする。
【００１３】付属品のアクセサリー部分は、ストッキングの表面のゴムの付属品が通せる部分に付属品を通せるようにするために付属品のアクセサリーにポリウレタン製の伸縮性のあるゴムで、輪を作くり、この輪のゴムにプラスチック製のスナップボタンを付けて、取りはずしが出来るようにする。また、デザインによっては付属品の後にスナップボタンを付ける場合もある。付属品アクセサリー部分は、プラスチックやポリプロピレンなどの素材で軽量化が出来るものでデザインをした形に作くり、そして装飾をして使用する。また、付属品のアクセサリーは布の生地で、デザインをして縫製した物なども使用が出来る。
【００１４】使用方法は、付属品のアクセサリーをストッキングに付いているポリウレタンのゴムの所へ付けて使用する。そして付属品を取りつけていない場合は、シンプルなストッキングとして使用が出来る。
【図面の簡単な説明】
【００１５】
【図１】本発明の付属品の取りはずし可能なストッキングの実施と形態を示す図面。
【符号の説明】１・・・・・ストッキング（全体）
２・・・・・付属品を付けるポリウレタン製のゴム
３・・・・・付属品の装飾されたアクセサリー
【図１】
2013256745.tif 000003